(57)【要約】【課題】  ＲＦＩＤタグを管理対象物から取り外す行為を検知できるようにすると共に、ＲＦＩＤタグの準備段階や保守段階や、実際の使用状態において、信頼性や利便性を確保できる、耐タンパ機能付きＲＦＩＤタグを提供する。【解決手段】  ＲＦＩＤタグ１０に押しボタンスイッチ型のタンパセンサ１１を実装し、スイッチのボタンが押された状態（管理対象物２に貼付された状態）でタンパセンサ１１がＯＮ、スイッチが戻された状態（管理対象物２から引き剥がされた状態）でタンパセンサ１１がＯＦＦとなり、タンパセンサ１１がＯＮの場合をノーマル状態とし、タンパセンサ１１がＯＦＦの場合をタンパ状態とする。そして、タンパ状態の場合に独自のＩＤと警戒情報を含む無線信号を定期的に発信する。【選択図】  図１
2006106831.tif 000002
【特許請求の範囲】
【請求項１】
押しボタンスイッチのタンパセンサを実装し、さらに独自のＩＤを記憶する電池内蔵型のＲＦＩＤタグであり、
スイッチが押された状態でタンパセンサがＯＮ、スイッチが戻された状態でタンパセンサがＯＦＦとなり、
タンパセンサがＯＮの場合をノーマル状態とし、
タンパセンサがＯＦＦの場合をタンパ状態とし、
タンパ状態の場合に独自のＩＤと警戒情報を含む無線信号を定期的に発信すること
を特徴とする耐タンパ機能付きＲＦＩＤタグ。
【請求項２】
押しボタンスイッチのタンパセンサを実装し、さらに独自のＩＤを記憶する電池内蔵型のＲＦＩＤタグであり、
スイッチが押された状憶でタンパセンサがＯＮ、スイッチが戻された状態でタンパセンサがＯＦＦとなり、
一定時間タンパセンサＯＮが継続した場合にノーマル状態とし、
ノーマル状態時にタンパセンサがＯＦＦになった場合にタンパ状態とし、さらに一度タンパ状態となると一定期間はタンパスイッチの状況によらずタンパ状態を保持し、
それ以外の状態をスリープ状態とし、
タンパ状態の場合に独自のＩＤと警戒情報を含む無線信号を定期的に発信する
ことを特徴とする耐タンパ機能付きＲＦＩＤタグ。
【請求項３】
前記タンパ状態を無期限に継続すること
を特徴とする請求項２記載の耐タンパ機能付きＲＦＩＤタグ。
【請求項４】
前記タンパ状態の場合に無線信号を発信するか／否か、を外部より設定可能とする
ことを特徴とする請求項１および請求項３記載の耐タンパ機能付きＲＦＩＤタグ。
【請求項５】
前記タンパ機能付ＲＦＩＤタグの電池用の蓋がある面にタンパセンサのスイッチ部を設けること
を特徴とする請求項１〜４記載の耐タンパ機能付きＲＦＩＤタグ。
【請求項６】
請求項１〜５記載の耐タンパ機能付きＲＦＩＤタグ、リーダ、管理端末により構成され、耐タンパ機能付きＲＦＩＤタグは管理対象物品に取り付けられ、耐タンパ機能付きＲＦＩＤタグが発信する無線信号をリーダにて受信し、リーダと管理端末は接続されており、リーダで受信した無線信号の内容を管理端末で収集し管理する物品管理システムであって、
タンパ機能付ＲＦＩＤタグのスイッチを含む面を管理対象物品に取り付けることで、耐タンパ機能付きＲＦＩＤタグが管理対象物品から外された場合に管理端末にて検知すること
を特徴とする物品管理システム。
【発明の詳細な説明】
【技術分野】
【０００１】
本発明は、電池を持つアクティブ型ＲＦＩＤタグ（無線を用いたＩＣタグ）を、物品を管理するシステムへ適用するための、耐タンパ機能付きＲＦＩＤタグおよび物品管理システムに関し、特に、ＲＦＩＤタグを管理対象物から取り外す行為を検知できるようにすると共に、ＲＦＩＤタグの準備段階や保守段階や、実際の使用状態において、信頼性や利便性を確保することができる、耐タンパ機能付きＲＦＩＤタグおよび物品管理システムに関する。
【背景技術】
【０００２】
物品を管理する背景技術として、ＲＦＩＤタグを用いる場合を想定する。ＲＦＩＤタグの大まかな種類には、電池を持たないパッシブ型ＲＦＩＤタグと、電池を持つアクティブ型ＲＦＩＤタグがある。アクティブ型ＲＦＩＤタグは無線の送信距離が長く、一般に数ｍ〜数十ｍの送受信が可能である。
【０００３】
このアクティブ型ＲＦＩＤタグを物品管理システムに用いて、管理対象物のある部屋の特定やその部屋の中での大まかな位置を測位することができる（例えば、非特許文献１参照）。
【０００４】
図７にアクティブ型ＲＦＩＤタグを用いた物品管理システムを示す。図７において、部屋には、管理する対象物に付けたＲＦＩＤタグからの無線信号を受けるリーダが設置されている。例えば、図７のルームＲ１には、そのリーダが３台あり、ＲＦＩＤタグ１０ａの無線信号をそれぞれのリーダＡ、Ｂ、Ｃが受信する。それらの無線信号の受信強度から部屋の中での対象物の位置を知ることもできる。
【非特許文献１】岸上順一、近藤好次、清水雅史、中原慎一、木下真吾「ユビキタスサービスを支えるＲＦＩＤ」、電気通信、Vol.67,No.691,pp.24-35,2004.7.1
【発明の開示】
【発明が解決しようとする課題】
【０００５】
前述したように、物品の管理にＲＦＩＤタグを用いる場合には、管理対象物にＲＦＩＤタグを取り付ける。そして、このＲＦＩＤタグを管理対象物から取り外すという行為を検知できなければならない。また、その耐タンパ機能を実現する上では、常時電力を必要とする実現方法は避けなければならない。
【０００６】
元来、アクティブ型ＲＦＩＤタグは電池をもち、無線信号を送信するが、この他に電力を使うことになれば、このＲＦＩＤタグの寿命が短くなってしまう。さらにこの他にも、耐タンパ機能が実際に利用される場合には、ＲＦＩＤタグを管理対象物に取り付ける間は無線信号を出さないように、準備、保守の簡便性が必要である。そして、故意にＲＦＩＤタグが管理対象物から剥ぎ取られて、耐タンパ機能を停止させるような行為に対しても、無線信号の送信を発信し続ける信頼性も兼ね備える必要がある。
【０００７】
本発明は上記課題を解決するためになされたものであり、本発明の目的は、ＲＦＩＤタグを管理対象物から取り外す行為を検知できるようにすると共に、ＲＦＩＤタグの準備段階や保守段階や、実際の使用状態において、信頼性や利便性を確保できる、耐タンパ機能付きＲＦＩＤタグおよび物品管理システムを提供することにある。
【課題を解決するための手段】
【０００８】
本発明は上記課題を解決するためになされたものであり、本発明の耐タンパ機能付きＲＦＩＤタグ（単に、「ＲＦＩＤタグ」ともいう）は、押しボタンスイッチのタンパセンサを実装し、さらに独自のＩＤを記憶する電池内蔵型のＲＦＩＤタグであり、スイッチが押された状態でタンパセンサがＯＮ、スイッチが戻された状態でタンパセンサがＯＦＦとなり、タンパセンサがＯＮの場合をノーマル状態とし、タンパセンサがＯＦＦの場合をタンパ状態とし、タンパ状態の場合に独自のＩＤと警戒情報を含む無線信号を定期的に発信することを特徴とする。
これにより、ＲＦＩＤタグを管理対象物から取り外す行為を検知できるようになる。また、電圧感知や機械的に電気回路の一部配線を接続（／切断）するなどして、タンパスイッチの状態が把握される。従って、この耐タンパ機能の実現方法では、電力をほとんど消費しないため、アクティブ型ＲＦＩＤタグの電池寿命に影響を殆ど与えない。
【０００９】
また、本発明の耐タンパ機能付きＲＦＩＤタグは、押しボタンスイッチのタンパセンサを実装し、タンパセンサのスイッチの状態を、電圧感知や機械的に電気回路の一部配線を接続（／切断）するなどにより把握し、さらに独自のＩＤを記憶する電池内蔵型のＲＦＩＤタグであり、スイッチが押された状憶でタンパセンサがＯＮ、スイッチが戻された状態でタンパセンサがＯＦＦとなり、一定時間タンパセンサＯＮが継続した場合にノーマル状態とし、ノーマル状態時にタンパセンサがＯＦＦになった場合にタンパ状態とし、さらに一度タンパ状態となると一定期間はタンパスイッチの状況によらずタンパ状態を保持し、それ以外の状態をスリープ状態とし、タンパ状態の場合に独自のＩＤと警戒情報を含む無線信号を定期的に発信することを特徴とする。
これにより、ＲＦＩＤタグを管理対象物から取り外す行為を検知できるようになる他に、準備段階や保守段階で、ＲＦＩＤタグを管理対象物に取り付ける間は、警報のための無線信号を送信しないようになる。さらに、実際に、ＲＦＩＤタグが剥ぎ取られてタンパセンサが“ＯＦＦ”となった後に、直ちにタンパセンサを“ＯＮ”にしても、警報のための無線送信を送信し続けて、簡単に停止させることは出来なくなる。このため、信頼性や利便性を確保できる。
【００１０】
また、本発明の耐タンパ機能付きＲＦＩＤタグは、前記タンパ状態を無期限に継続することを特徴とする。
これにより、タンパセンサが剥ぎ取られて“ＯＦＦ”となった後に、直ちにタンパセンサを“ＯＮ”にしても、警戒のための無線送信を（電池寿命が尽きるまで）無期限に送信し続けて、簡単に停止させることは出来なくなる。このため、信頼性や利便性を確保できる。
【００１１】
また、本発明の耐タンパ機能付きＲＦＩＤタグは、前記タンパ状態の場合に無線信号を発信するか／否か、を外部より設定可能とすることを特徴とする。さらに発信する場合は、発信間隔、発信期間（無期限を含む）などのパラメータを設定できても良い。
これにより、耐タンパ機能付きＲＦＩＤタグを使用する管理対象物の種類、および使用環境に応じて、耐タンパ機能付きＲＦＩＤタグの動作を設定することができる。
【００１２】
また、本発明の耐タンパ機能付きＲＦＩＤタグは、前記タンパ機能付ＲＦＩＤタグの電池用の蓋がある面にタンパセンサのスイッチ部を設けることを特徴とする。
これにより、電池を外すためには、タンパセンサが“ＯＦＦ”となるので、ＲＦＩＤの電池を取り外すことで、警報の発信を停止されることを防ぐことができる。
【００１３】
また、本発明の物品管理システムは、前記耐タンパ機能付きＲＦＩＤタグ、リーダ、管理端末により構成され、耐タンパ機能付きＲＦＩＤタグは管理対象物品に取り付けられ、耐タンパ機能付きＲＦＩＤタグが発信する無線信号をリーダにて受信し、リーダと管理端末は接続されており、リーダで受信した無線信号の内容を管理端末で収集し管理する物品管理システムであって、タンパ機能付ＲＦＩＤタグのスイッチを含む面を管理対象物品に取り付けることで、耐タンパ機能付きＲＦＩＤタグが管理対象物品から外された場合に管理端末にて検知することを特徴とする。
これにより、ＲＦＩＤタグを管理対象物から取り外す行為を検知する物品管理システムを構築できる。
【発明の効果】
【００１４】
本発明の耐タンパ機能付きＲＦＩＤタグ（単に、「ＲＦＩＤタグ」ともいう）においては、押しボタンスイッチ型のタンパセンサを実装し、スイッチが押された状態（管理対象物に取り付けられた状態）で“ＯＮ”、スイッチが戻された状態（管理対象物から剥がされた状態）で“ＯＦＦ”となり、タンパセンサが“ＯＮ”の場合をノーマル状態とし、タンパセンサが“ＯＦＦ”の場合をタンパ状態とし、タンパ状態では独自のＩＤと警戒情報を定期的に発信するようにしたので、これにより、ＲＦＩＤタグを管理対象物から取り外す行為を検知できるようになる。また、この耐タンパ機能の実現方法では、電力をほとんど消費しないため、アクティブ型ＲＦＩＤタグの電池寿命に影響を殆ど与えない。
【００１５】
また、本発明の耐タンパ機能付きＲＦＩＤタグにおいては、一定時間タンパセンサの“ＯＮ”が継続した場合にノーマル状態に移行し、ノーマル状態時にタンパセンサが“ＯＦＦ”になった場合にタンパ状態とし、さらに一度タンパ状態となると一定期間はタンパスイッチの状況によらずタンパ状態として独自のＩＤと警戒情報を定期的に発信するようにしたので、これにより、ＲＦＩＤタグを管理対象物から取り外す行為を検知できるようになる他に、準備段階や保守段階で、ＲＦＩＤタグを管理対象物に取り付ける間は、警報のための無線信号を送信しないようになる。さらに、実際に、ＲＦＩＤタグが剥ぎ取られてタンパセンサが“ＯＦＦ”となった後に、直ちにタンパセンサを“ＯＮ”にしても、警報のための無線送信を送信し続けて、簡単に停止させることは出来なくなる。このため、信頼性や利便性を確保できる。
【００１６】
また、本発明の耐タンパ機能付きＲＦＩＤタグにおいては、タンパ状態を無期限に継続するようにしたので、これにより、タンパセンサが剥ぎ取られて“ＯＦＦ”となった後に、直ちにタンパセンサを“ＯＮ”にしても、警戒のための無線送信を（電池寿命が尽きるまで）無期限に送信し続けて、簡単に停止させることは出来なくなる。このため、信頼性や利便性を確保できる。
【００１７】
また、本発明の耐タンパ機能付きＲＦＩＤタグにおいては、前記タンパ状態の場合に無線信号を発信するか／否か、を外部より設定可能とした。さらに発信する場合は、発信間隔、発信期間（無期限を含む）などのパラメータを外部から設定できても良いとした。これにより、耐タンパ機能付きＲＦＩＤタグを使用する管理対象物の種類、および使用環境に応じて、耐タンパ機能付きＲＦＩＤタグの動作を設定することができる。
【００１８】
また、本発明の耐タンパ機能付きＲＦＩＤタグにおいては、タンパ機能付ＲＦＩＤタグの電池用の蓋がある面にタンパセンサのスイッチボタン部を設けるようにしたので、これにより、電池を外すためには、タンパセンサが“ＯＦＦ”となるので、ＲＦＩＤの電池を取り外すことで、警報の発信を停止されることを防ぐことができる。
【００１９】
また、本発明の物品管理システムにおいては、耐タンパ機能付きＲＦＩＤタグを管理対象物（管理対象物品）に取り付け、ＲＦＩＤタグが発信する無線信号をリーダにて受信し、該リーダに接続された管理端末で収集するようにし、ＲＦＩＤタグが管理対象物から外された場合に管理端末にて検知するようにしたので、これにより、ＲＦＩＤタグを管理対象物から取り外す行為を検知する物品管理システムを構築できる。
【発明を実施するための最良の形態】
【００２０】
次に本発明を実施するための最良の形態について図面を参照して説明する。
【００２１】
図１は、本発明の耐タンパ機能付きＲＦＩＤタグを使用した物品管理システムの構成例を示す図である。なお、本発明における耐タンパ機能とは、ＲＦＩＤタグが取り付けられた管理対象物（管理対象物品）から、ＲＦＩＤタグが故意に（盗難等の目的のために）引き剥がされた場合に、これを検知して警報を出力する機能である。
【００２２】
図１に示す物品管理システム１において、耐タンパ機能付きＲＦＩＤタグ（単に「ＲＦＩＤタグ」ともいう）１０が管理対象物２に取り付けられ、ＲＦＩＤタグ１０が発信する無線信号がリーダ３により受信される。また、リーダ３には受信情報管理用ＰＣ（管理端末）４が接続されており、リーダ３で受信したＲＦＩＤタグからの無線信号の内容が受信情報管理用ＰＣ４により収集され、受信情報管理用ＰＣ４により管理対象物２の管理が行なわれる。
【００２３】
ＲＦＩＤタグ１０は電池を内蔵するアクティブ型ＲＦＩＤタグである。ＲＦＩＤタグ１０の裏面（管理対象物２への取り付け面）には、ボタンスイッチ型のタンパセンサ１１がそのボタン部が裏面から突き出るように取り付けられる。また、裏面には電池を収納するための電池蓋１２が取り付けられている。
【００２４】
この耐タンパ機能付きＲＦＩＤタグを管理対象物２に貼り付けるように取り付ける。管理対象物２に取り付けられた状態ではタンパセンサ１１が“ＯＮ”（ＲＦＩＤ裏面の突起状のボタンを押下した状態）となる。次に、管理対象物からＲＦＩＤを剥ぎ取ると、タンパセンサ１１が“ＯＦＦ”（ＲＦＩＤ裏面に突起状のボタンが突き出たままの状態）となる。なお、このタンパセンサ１１の“ＯＮ”、“ＯＦＦ”状態は単純な電圧感知や機械的なスイッチ（で、電気回路の一部配線を接続／切断する）などで行なわれる。
【００２５】
そして、タンパセンサが“ＯＦＦ”になると、ＲＦＩＤタグ１０はタンパ状態になっているとの無線信号を送信する。この無線信号はリーダ３で受信されて、受信情報管理用ＰＣ４において、どの管理対象物がタンパ状態なのかなどをオペレータへ警報として知らせる。
【００２６】
また、図２は、本発明による耐タンパ機能付きＲＦＩＤタグの構成例を示す図である。図２において、ＲＦＩＤタグ１０には、アンテナ１４と、ＩＣチップ２０と、ＩＣチップ２０に電源を供給する電池１３と、ボタンスイッチ型のタンパセンサ１１とが内蔵されている。
【００２７】
また、ＩＣチップ２０内には、送受信部２１、ＣＰＵ２２、記憶部２３が設けられている。送受信部２１は、リーダ３との間で、電磁波によるデータの送受信を行う処理部である。また、ＣＰＵ２２は、ＩＣチップ２０の全体を制御する。
【００２８】
また、記憶部２３には、ＲＦＩＤタグ属性情報（ＲＦＩＤタグの製造メーカ、型式などの情報）２４、ＩＤ情報（管理対象物を個々に特定するＩＤ情報）２５、ＲＦＩＤタグの動作モードを設定する設定パラメータ情報２６が記憶されている。この設定パラメータ情報２６には、例えば、送信の期間（例えば、７日間など）、送信の間隔（例えば、１０秒おきなど）、その他のＲＦＩＤタグの動作モードを規定する種々の設定情報が記録されている。なお、このＲＦＩＤタグの適用先によっては、送受信部２１は、ＲＦＩＤ１０からリーダ３へのＩＤ情報２５を送信する機能しか持たない場合もある。
【００２９】
本発明においては、耐タンパ機能付きＲＦＩＤタグ１０の利用の仕方、および設定パラメータ情報２６の設定の仕方により、種々の物品管理システムを構成することができる。以下に、本発明の耐タンパ機能付きＲＦＩＤタグ１０を使用した実施例について説明する。
【実施例１】
【００３０】
第１の実施例では、単にタンパセンサ１１が“ＯＮ”で管理対象物２に取り付けられているとみなし、この一方、タンパセンサ１１が“ＯＦＦ”で管理対象物２から剥ぎ取られたと判断し、警報のための無線を送信する。
【００３１】
また、この例では、前述のごとく管理対象物２に接触する場所に押しボタンスイッチ型タンパセンサ１１が設けられており、普段はタンパセンサが“ＯＮ”状態でも単純な電圧感知や機械的なスイッチ（電気回路の一部配線接続／切断）などをすることで済まされる。このため殆ど電力を消費することがなく、ＲＦＩＤの電池寿命に影響を殆ど与えない。
【００３２】
しかしながらこのような単純な機能では、実際にタンパセンサ１１が剥ぎ取られで“ＯＦＦ”となっても、直ちに管理対象物２とは別の物に取り付けるなどして、タンパセンサ１１を“ＯＮ”にして警報のための無線送信を停止させることが可能となる。
【００３３】
図５にはＲＦＩＤタグの利用状況でのタンパ状態の送信例を示している。この図５中の（ａ）実施例１の場合には、タンパセンサ１１の剥ぎ取り直後で、故意にタンパセンサ１１を“ＯＮ”とした場合において、タンパ状態の送信が止まる。
【００３４】
また別に、使用上の課題として、ＲＦＩＤタグ１０を管理対象物２に取り付けるまでの準備段階や保守段階で警報のための無線送信が生じてしまう。図５中の（ａ）実施例１の場合には、準備（保守）取り付けにおいて、タンパ状態を示す送信が行われる。このような様々な面で、信頼性や利便性を欠くので、以下に説明するような改良を施す。
【実施例２】
【００３５】
図３に示した状態遷移図は耐タンパ機能付きＲＦＩＤタグの第２の実施例の説明図である。この図３に示す各状態での動作、別の状態へ遷移する条件などは次のとおりである。
【００３６】
最初に、準備段階（状態Ｓ１１）にある。この準備段階は、耐タンパ機能付きＲＦＩＤタグ１０を最初に使用する前の状態である。
【００３７】
それから、スリープ状態（状態Ｓ１２）に移行する。スリープ状態は、耐タンパ機能付きＲＦＩＤタグ１０から信号を送信しない状態であり、次の条件を満たさない場合、このスリープ状態のままである。一定時間（例えば、４分間）、タンパセンサ１１が“ＯＮ”を継続するとノーマル状態に遷移する。
【００３８】
ノーマル状態（状態Ｓ１３）は、予め設定されたパラメータに従い送信する状態である。タンパセンサ１１が“ＯＮ”状態ならば、このノーマル状態のままである。タンパセンサ１１が“ＯＦＦ”となるとタンパ状態に遷移する。
【００３９】
タンパ状態（状態Ｓ１４）は、一定時間（例えば、３秒）間隔で、警戒情報とＩＤ（管理対象物の識別情報）を送信し続ける状態である。タンパセンサ１１が“ＯＦＦ”となってから一定期間（例えば、７日間）内は、このタンパ状態のままである。
【００４０】
このように、図３に示す状態遷移図に基づいて動作をする耐タンパ機能付きＲＦＩＤタグ１０は、管理する対象物へ取り付ける際の利便性の確保や、ＲＦＩＤタグ１０を引き剥がした後にタンパの警報を停止することを防止できる。
【００４１】
つまり、図５に示すＲＦＩＤタグの利用状況でのタンパ状態の送信例において、（ｂ）実施例２の場合に示すとおりである。
まず、最初の準備（保守）取り付け段階では、タンパセンサ１１が“ＯＮ”しても、タンパ状態の送信は生じない。この理由はタンパセンサ“ＯＦＦ”において、仮にタンパセンサ１１に触れで“ＯＮ”→“ＯＦＦ“→“ＯＮ”と短時間で切り替わったとしてもタンパ状態の送信はされない。そして管理対象物２に取り付け後にタンパセンサ１１の“ＯＮ”の状況が一定時間経過（４分間）したら、次のタンパセンサ１１の“ＯＦＦ”で送信が可能となる。従って、ここでの一定時間は準備（保守）の取り付けに要すると想定される時間より長く、例えば４分とかに予め決定しておく。
【００４２】
そしてまた、耐タンパ機能付きＲＦＩＤタグ１０が剥ぎ取られ、直後に故意にタンパセンサ１１を“ＯＮ”としてタンパ状態を警告する無線の送信を止めることも防止される。上記図３に示す状態遷移に従うと、図５の（ｂ）実施例２の場合に示すように、タンパ状態の送信が一定期間は継続し続ける。従って、タンパセンサを“ＯＮ”としたとしても警告のための無線の送信は停止できない。ここでの一定期間はタンパ状態の情報として十分に長い期間（例えば、７日間）として決定している。なお、この一定期間は無期限としてもよく、この場合は電池寿命が尽きるまで、警告を送信し続ける。
【実施例３】
【００４３】
また、図４は耐タンパ機能付きＲＦＩＤタグの第３の実施例の説明図であり、パラメータ設定が可能であり、かつ電池交換がある場合での耐タンパ機能付きＲＦＩＤタグ１０の状態遷移図である。
図４における各状態での動作、別の状態へ遷移する条件などは次のとおりである。
最初に電池なしの状態（状態Ｓ２１）にある。この状態Ｓ２１は、電池が外れた状態であり、電池を入れるとリセット状態へ遷移する。
【００４４】
リセット状態（状態Ｓ２２）は、電池を入れた直後の状態であり、パラメータの初期設定（タンパ状態“無し”の設定）がされると直ちにスリープ状態へ遷移する。他にも、この状態Ｓ２２では、連続送信や送信間隔が１０秒という初期設定も行なわれる。
【００４５】
スリープ状態（状態Ｓ２３）は、何も送信しない状態であり、設定コマンドを受けると、設定の変更状態に遷移する。また、スリープ解除コマンド（ＷａｋｅＵｐ）を受けるとノーマル状態へ、電池を外すと電池なしの状態へ遷移する。さらに、スリープ状態で既にタンパ状態の設定“有り”と設定変更されていて、タンパセンサが“ＯＦＦ”となるとタンパ状態へ遷移する。これら以外の場合は、スリープ状態のままである。
【００４６】
ノーマル状態（状態Ｓ２４）は、設定したパラメータ（例えば送信回数や送信間隔など）に従い信号を送信する状態であり、スリープ設定コマンドを受けると、スリープ状態へ遷移する。また、タンパセンサが“ＯＦＦ”となると、タンパ状態へ遷移する。
【００４７】
設定の変更状態（状態Ｓ２５）は、設定パラメータを変更している状態であり、パラメータ設定完了後は、直ちにスリープ状態へ遷移する。この設定のパラメータとして、タンパ状態の「有り／無し」の設定を含む。
【００４８】
タンパ状態（状態Ｓ２６）は、例えば、５秒間隔でタンパ状態信号とＩＤを送信し続ける状態である。この状態で、電池を外すことにより、電池なし状態へ遷移する（電池が外せない場合もある）。これ以外は（電池を外さないなら、電池寿命が尽きるまで）タンパ状態のままである。
【００４９】
また、第３の実施例では、耐タンパ機能付きＲＦＩＤタグ１０は、無線の送信に関する設定パラメータを有している。そして、この設定パラメータ種類、その可能な設定と初期の設定は、図６に示すようになる。
【００５０】
図６に示すように、設定パラメータとしては、送信の回数、送信の間隔、タンパ状態への遷移がある。そして、送信の回数については、可能な設定として、「連続（endless）または１〜１０回」が設定でき、初期設定は、「連続」となっている。
また、送信の間隔については、可能な設定として、「５、１０、・・・・、２５秒」が設定でき、初期設定は、「１０秒」となっている。
また、タンパ状態への遷移については、可能な設定として、「有り／無し」が設定でき、初期設定は、「無し」となっている。
【００５１】
この初期の設定から変更して所望の設定にするには、専用の設定（制御）機器を用いる。この第３の実施例では、初期の設定の「タンパ状態への遷移」が「無し」に設定されている。このため、管理対象物２へこの耐タンパ機能付きＲＦＩＤタグ１０を取り付けた後に設定を変更し、「タンパ状態への遷移」を「有り」と設定する必要がある。
【００５２】
特に、ＲＦＩＤタグ１０の電池を取り外すことで、警報の発信を停止されることを防ぐために、電池を外すためには、タンパセンサ１１が“ＯＦＦ”となるように、電池交換の蓋がある面に、タンパセンサ１１のスイッチボタン部を設けることが望ましい。この条件では、図４に示す状態遷移図中の破線で示す遷移はなくなる。つまり、タンパ状態を介さずに、スリーブ状態やノーマル状態では電池を外すことは不可能である。
【００５３】
このように、図４に示した状態遷移図に基づき動作する耐タンパ機能付きＲＦＩＤタグ１０は、第２の実施例と同様に、取り扱いの利便性や万が一の際の信頼性を確保することができる。
【００５４】
そしてまた、図５に示したＲＦＩＤタグの利用状況でのタンパ状態の送信例においても、（ｃ）実施例３の場合では、先に説明した（ｂ）実施例２の場合の動作と似たものとなる。
すなわち、まず、準備（保守）取り付け段階ではタンパ状態の送信は生じない。それはタンパセンサ“ＯＦＦ”において、仮にタンパセンサ１１に触れてしまい、このタンパセンサ１１が“ＯＮ”→“ＯＦＦ”と切り替わったとしても、タンパ状態信号の送信はされない。そして取り付け後に、タンパ状態を“有り”にパラメータ設定をする。この後でタンパセンサ１１が“ＯＦＦ”で送信が可能となる。ここで、タンパ状態“有り”の設定は専用の設定（制御）機器のみで可能である。この設定機器は管理者のみ使用する。このため一般の利用者が、タンパ状態“有り”の設定を変更して、タンパ状態“無し”へ解除するようなことはできない。
【００５５】
一方、耐タンパ機能付きＲＦＩＤタグ１０を剥ぎ取り、直後に故意にタンパセンサ１１を“ＯＮ”としてタンパ状態を警告する無線の送信を止めることも防止される。上記の図４に示す状態遷移に従うと、図５の（ｃ）実施例３の場合に示すように、タンパ状態の送信が継続し続ける。従って、タンパセンサ１１を“ＯＮ”としたとしても警告のための無線の送信は止まらない。ここで再利用のＲＦＩＤタグ１０を想定しているなら、電池を外すことでタンパ状態が終わる。しかし、使い捨ての耐タンパ機能付きＲＦＩＤタグ１０として良いならば、電池交換をできない構成（電池を交換するための蓋が無いとか、電池の端子をハンダ付け）とするので、上紀のタンパ状態の送信は、電池の残りの電池容量がなくなるまで（例えば５秒間隔で数ヶ月間）その送信が続くことになる。
【００５６】
以上、本発明の実施の形態について説明したが、本発明の耐タンパ機能付きＲＦＩＤタグおよび物品管理システムは、上述の図示例にのみ限定されるものではなく、本発明の要旨を逸脱しない範囲内において種々変更を加え得ることは勿論である。
【産業上の利用可能性】
【００５７】
本発明においては、ＲＦＩＤタグを管理対象物から取り外す行為を検知できると共に、ＲＦＩＤタグの準備段階や保守段階や、実際の使用状態において、信頼性や利便性を確保することができるので、本発明は、耐タンパ機能付きＲＦＩＤタグおよび物品管理システムなどに有用である。
【図面の簡単な説明】
【００５８】
【図１】本発明の耐タンパ機能付きＲＦＩＤタグを使用した物品管理システムの構成例を示す図である。
【図２】本発明による耐タンパ機能付きＲＦＩＤタグの構成例を示す図である。
【図３】第２の実施例の状態遷移図である。
【図４】第３の実施例の状態遷移図である。
【図５】ＲＦＩＤタグの利用状況でのタンパ状態の送信例を示す図である。
【図６】設定パラメータ種類と設定可能範囲と初期の設定の例を示す図である。
【図７】アクティブ型ＲＦＩＤタグを用いた物品管理システムの例を示す図である。
【符号の説明】
【００５９】
１  物品管理システム
２  管理対象物
３  リーダ
４  受信情報管理用ＰＣ
１０  耐タンパ機能付きＲＦＩＤタグ
１１  タンパセンサ
１２  電池蓋
１３  電池
１４  アンテナ
２０  ＩＣチップ
２１  送受信部
２２  ＣＰＵ
２３  記憶部
２４  ＲＦＩＤタグの属性情報
２５  ＩＤ情報
２６  設定パラメータ情報
【図１】
2006106831.tif 000003
【図２】
2006106831.tif 000004
【図３】
2006106831.tif 000005
【図４】
2006106831.tif 000006
【図５】
2006106831.tif 000007
【図６】
2006106831.tif 000008
【図７】
2006106831.tif 000009